(57)【要約】【課題】  複数の筐体を有する携帯通信端末において、それぞれの筐体の相対的な位置に応じて自動的に処理を実行する携帯通信端末を提供する。【解決手段】  表示部１を有する第１の筐体１０が入力部８を有する第２の筐体２０の入力部８を覆う状態である閉状態であるか否かを検出する開閉検出部６と、第１の筐体１０が閉状態で表示部１を露出する状態である露出状態であるか否かを検出する回転検出部７とを備える。制御部１１は、開閉検出部６と回転検出部７との検出結果に応じた処理を示すテーブルにもとづいて、処理を実行する。【選択図】  図１
2006211536.tif 000002
【特許請求の範囲】
【請求項１】
表示手段を有する第１の筐体が、入力手段を有する第２の筐体の前記入力手段を覆う状態である閉状態であるか否かを検出する閉状態検出手段と、
前記閉状態で、前記第１の筐体の前記表示手段が、前記第１の筐体における前記第２の筐体に接する面の反対側の面に位置するか否かを検出する表示手段位置検出手段と、
前記閉状態検出手段と前記表示手段位置検出手段との検出結果に応じて実行すべき処理を示すテーブルを記憶する記憶手段と、
前記記憶手段が記憶している前記テーブルと、前記閉状態検出手段および前記表示手段位置検出手段の検出結果とに応じて処理を実行する制御手段とを含み、
前記記憶手段が記憶する前記テーブルは、少なくとも、
前記第１の筐体が前記第２の筐体の前記入力手段を開放している状態である開状態から、前記閉状態への遷移に応じて前記制御手段が実行する処理を示すデータと、
前記閉状態から前記開状態への遷移に応じて前記制御手段が実行する処理を示すデータと、
前記開状態から、前記閉状態で、前記第１の筐体の前記表示手段が、前記第１の筐体における前記第２の筐体に接する面の反対側の面に位置する状態への遷移に応じて前記制御手段が実行する処理を示すデータと、
前記閉状態で、前記第１の筐体の前記表示手段が、前記第１の筐体における前記第２の筐体に接する面の反対側の面に位置する状態から、前記開状態への遷移に応じて前記制御手段が実行する処理を示すデータとを含む
ことを特徴とする携帯通信端末。
【請求項２】
記憶手段は、前記閉状態検出手段と前記表示手段位置検出手段との検出結果と、時刻とに応じて制御手段が実行する処理を示すデータを含むテーブルを記憶している
請求項１記載の携帯通信端末。
【請求項３】
記憶手段は、前記閉状態検出手段と前記表示手段位置検出手段との検出結果と、受信している電波の電波強度とに応じて制御手段が実行する処理を示すデータを含むテーブルを記憶している
請求項１または請求項２記載の携帯通信端末。
【請求項４】
テーブルを入力する入力手段を含む
請求項１から請求項３のうちいずれか１項記載の携帯通信端末。
【請求項５】
記憶手段は、制御手段が閉状態検出手段と表示手段位置検出手段との検出結果に応じて実行する処理を使用者に選択させる画面を記憶する
請求項１から請求項４のうちいずれか１項記載の携帯通信端末。
【請求項６】
表示手段を有する第１の筐体が入力手段を有する第２の筐体の前記入力手段を覆う状態である閉状態であるか否かを検出し、
前記閉状態で、前記第１の筐体の前記表示手段が、前記第１の筐体における前記第２の筐体に接する面の反対側の面に位置するか否かを検出し、
検出結果に応じて、処理を実行する
ことを特徴とする携帯通信端末処理実行方法。
【発明の詳細な説明】
【技術分野】
【０００１】
本発明は、２つの筐体によって構成される携帯通信端末、および携帯通信端末処理実行方法に関し、特に、それぞれの筐体の相対的な位置に応じて処理を実行する携帯通信端末、および携帯通信端末処理実行方法に関する。
【背景技術】
【０００２】
近年、２つの筐体の結合部で折り畳む携帯電話機が普及している。なかでも、折り畳んだ際に一方の筐体の表示部を外側に位置させることができる２軸回転式の結合部がそれぞれの筐体を結合する携帯電話機が増加している。
【０００３】
その理由として、携帯電話機が画像撮影機能を有するようになり、２軸回転式の携帯電話機は、画像撮影機能のレンズを撮影対象に向けても、表示部を使用者が視認しやすいことが挙げられる。
【０００４】
なお、携帯電話機は、画像撮影機能や、データ通信機能等に加えて、地上波デジタル放送の開始に応じたテレビジョン放送受信機能や、Ｐｕｓｈ−ｔｏ−ｔａｌｋ機能等の搭載が予想され、多機能化が進むと考えられる。
【０００５】
そこで、表示部を開放する開状態になると、自動的にデータ通信を行う折り畳み型移動端末装置が提案されている（例えば、特許文献１参照。）。
【０００６】
また、開状態から、一方の筐体が他方の筐体の操作部を覆う閉状態に遷移したり、閉状態から開状態に遷移したりすると、予め使用者が設定した機能を起動する移動通信端末が提案されている（例えば、特許文献２参照。）。
【０００７】
【特許文献１】特開２００３−１２５０７７号公報  （段落００１０〜００２４、図１）
【特許文献２】特開２００４−１１２０４０号公報  （段落００１１〜００３８、図１）
【発明の開示】
【発明が解決しようとする課題】
【０００８】
しかし、特許文献１に記載されている折り畳み型移動端末装置は、開状態になると自動的にデータ通信を行うが、他の機能を起動しないため、他の機能を起動させるには使用者が操作しなければならず、他の機能の起動に手間がかかるという問題がある。
【０００９】
また、特許文献２に記載されている移動通信端末は、開状態から閉状態へ遷移、または閉状態から開状態へ遷移すると、予めユーザが設定した機能を起動する。すなわち、２種類の機能を自動的に起動させることができる。しかし、多機能化された携帯電話機に適用するには、自動的に起動することができる機能の数が不十分であるという問題がある。
【００１０】
そこで、本発明は、それぞれの筐体の相対的な位置に応じて自動的に処理を実行する携帯通信端末を提供することを目的とする。
【課題を解決するための手段】
【００１１】
本発明による携帯通信端末は、表示手段を有する第１の筐体が、入力手段を有する第２の筐体の入力手段を覆う状態である閉状態であるか否かを検出する閉状態検出手段と、閉状態で、第１の筐体の表示手段が、第１の筐体における第２の筐体に接する面の反対側の面に位置するか否かを検出する表示手段位置検出手段と、閉状態検出手段と表示手段位置検出手段との検出結果に応じて実行すべき処理を示すテーブルを記憶する記憶手段と、記憶手段が記憶しているテーブルと、閉状態検出手段および表示手段位置検出手段の検出結果とに応じて処理を実行する制御手段とを含み、記憶手段が記憶するテーブルは、少なくとも、第１の筐体が第２の筐体の入力手段を開放している状態である開状態から、閉状態への遷移に応じて制御手段が実行する処理を示すデータと、閉状態から開状態への遷移に応じて制御手段が実行する処理を示すデータと、開状態から、閉状態で、第１の筐体の表示手段が、第１の筐体における第２の筐体に接する面の反対側の面に位置する状態への遷移に応じて制御手段が実行する処理を示すデータと、閉状態で、第１の筐体の表示手段が、第１の筐体における第２の筐体に接する面の反対側の面に位置する状態から、開状態への遷移に応じて制御手段が実行する処理を示すデータとを含むことを特徴とする。
【００１２】
記憶手段は、閉状態検出手段と表示手段位置検出手段との検出結果と、時刻とに応じて制御手段が実行する処理を示すデータを含むテーブルを記憶していてもよい。そのような構成によれば、携帯通信端末の状態の変化と、時刻とに応じて、処理を実行することができる。
【００１３】
記憶手段は、閉状態検出手段と表示手段位置検出手段との検出結果と、受信している電波の電波強度とに応じて制御手段が実行する処理を示すデータを含むテーブルを記憶していてもよい。そのような構成によれば、携帯通信端末の状態の変化と、受信している電波の電波強度とに応じて、処理を実行することができる。
【００１４】
テーブルを入力する入力手段を含んでもよい。そのような構成によれば、使用者が、携帯通信端末の状態の変化等に応じて携帯通信端末に実行させる処理を入力することができる。
【００１５】
記憶手段は、制御手段が閉状態検出手段と表示手段位置検出手段との検出結果に応じて実行する処理を使用者に選択させる画面を記憶してもよい。そのような構成によれば、使用者が、携帯通信端末の状態の変化等に応じて携帯通信端末に実行させる処理を選択することができる。
【００１６】
本発明による携帯通信端末処理実行方法は、表示手段を有する第１の筐体が入力手段を有する第２の筐体の入力手段を覆う状態である閉状態であるか否かを検出し、閉状態で、第１の筐体の表示手段が、第１の筐体における第２の筐体に接する面の反対側の面に位置するか否かを検出し、検出結果に応じて、処理を実行することを特徴とする。
【発明の効果】
【００１７】
本発明によれば、複数の筐体を有する携帯通信端末において、それぞれの筐体の相対的な位置に応じて自動的に処理を実行することができる。
【発明を実施するための最良の形態】
【００１８】
本発明の実施の形態について、図面を参照して説明する。図１は、本発明の実施の形態の携帯電話機１００の一構成例を示す外観図である。
【００１９】
本発明の実施の形態の携帯電話機１００は、表示部（表示手段）１を有する第１の筐体１０、および入力部（入力手段）８を有する第２の筐体２０を含む。第１の筐体１０と第２の筐体２０とはヒンジ部３０で連結される。ヒンジ部３０は、例えば、回転２軸ヒンジによって実現され、第１の筐体１０は、ヒンジ部３０を支点にして、回転する。
【００２０】
第１の筐体１０の回転について説明する。第１の筐体１０は、ヒンジ部３０を支点にして、第２の筐体２０の入力部８を覆う状態（以下、閉状態という。）から、入力部８を開放する状態（以下、開状態という。）に遷移するように、第２の筐体２０の入力部８を有する面に鉛直の方向に回転する（図１（ｂ）に示す矢印の方向に回転する）。また、第１の筐体１０は、ヒンジ部３０を支点にして、第１の筐体１０の長手方向を軸に回転する（図１（ａ）に示す矢印の方向に回転する）。
【００２１】
図２は、本発明の実施の形態の携帯電話機１００の一構成例を示すブロック図である。
【００２２】
本発明の実施の形態は、情報を表示する表示部１、画像を撮影する撮像部２、音声を入力するマイクロフォン３、音声を出力するスピーカ４、情報を記憶するＲＡＭ（Ｒａｎｄｏｍ  Ａｃｃｅｓｓ  Ｍｅｍｏｒｙ）（記憶手段）５、第１の筐体１０と第２の筐体２０とが閉状態であるか否かを検出する開閉検出部（閉状態検出手段）６、閉状態で、第１の筐体１０の表示部１が、第１の筐体１０における第２の筐体２０に接する面の反対側の面に位置するか否かを検出する回転検出部（表示手段位置検出手段）７、情報を入力する入力部８、携帯電話通信網と接続したり、テレビジョン放送を受信したりする無線部９、および各部を制御する制御部（制御手段）１１を含む。
【００２３】
なお、開閉検出部６は、例えば、マイクロスイッチ等によって実現され、閉状態になるとマイクロスイッチが押下され、閉状態であることを示す信号を制御部１１に入力する。また、回転検出部７は、例えば、マイクロスイッチ等によって実現され、閉状態で表示部１が第１の筐体１０における第２の筐体２０に接する面の反対側の面に位置するとマイクロスイッチが押下され、閉状態で表示部１が第１の筐体１０における第２の筐体２０に接する面の反対側の面に位置する状態である前面表示状態であることを示す信号を制御部１１に入力する。
【００２４】
制御部１１は、開閉検出部６および回転検出部７が入力した信号の有無に応じて、携帯電話機１００が、開状態であるのか、閉状態であるのか、または前面表示状態であるのかを判断する。すなわち、制御部１１は、開閉検出部６および回転検出部７が入力した信号の有無に応じて、第１の筐体１０と第２の筐体２０との相対的な位置を判断する。
【００２５】
具体的には、例えば、開閉検出部６が閉状態であることを示す信号を制御部１１に入力すると、制御部１１は、閉状態であると判断する。また、例えば、開閉検出部６が閉状態であることを示す信号を制御部１１に入力しないと、制御部１１は、開状態であると判断する。
【００２６】
また、回転検出部７が前面表示状態であることを示す信号を制御部１１に入力すると、制御部１１は、前面表示状態であると判断する。また、例えば、回転検出部７が前面表示状態であることを示す信号を制御部１１に入力しないと、制御部１１は、前面表示状態ではないと判断する。
【００２７】
そして、制御部１１は、開閉検出部６および回転検出部７が入力する信号の有無が変化すると、携帯電話機１００の状態が変化したと判断して、ＲＡＭ５が記憶している携帯電話機１００の状態の変化と、制御部１１が行う処理とを対応づけるテーブルにもとづいた動作を行う。図３は、ＲＡＭ５が記憶しているテーブルの一例を示す図である。
【００２８】
図３を参照すると、例えば、開閉検出部６が、閉状態であることを示す信号を制御部１１に入力すると、制御部１１は、開状態から閉状態に遷移したと判断して、マナーモードに遷移する。
【００２９】
また、例えば、開閉検出部６が閉状態であることを示す信号を制御部１１に入力し、回転検出部７が前面表示状態であることを示す信号を制御部１１に入力すると、制御部１１は、無線部９にテレビジョン放送を受信させる。
【００３０】
なお、ＲＡＭ５が記憶しているテーブルは、携帯電話機１００の状態の変化と、複数の制御部１１が行うべき処理とを対応づけてもよい。すなわち、制御部１１は、携帯電話機１００の状態の変化に応じて、マルチタスク処理を行ってもよい。具体的には、例えば、携帯電話機１００の開状態から前面表示状態への変化に、ゲーム機能の起動と、電子メールの着信確認の処理とを対応づけ、制御部１１は、携帯電話機１００が開状態から前面表示状態へ変化したと判断すると、ゲーム機能の起動と、電子メールの着信確認の処理とを実行する。
【００３１】
また、ＲＡＭ５が記憶しているテーブルは、携帯電話機１００の状態の変化と、使用者による入力部８への複数の操作によって実行されるべき処理とを対応づけてもよい。具体的には、例えば、携帯電話機１００の閉状態から開状態への変化に、累積通話料金の表示を対応づけてもよい。
【００３２】
さらに、ＲＡＭ５が記憶しているテーブルは、携帯電話機１００の状態の変化と、時刻に応じて制御部１１が行う処理とを対応づけてもよい。具体的には、例えば、携帯電話機１００の開状態から閉状態への変化に、午前９時にマナーモードに遷移する処理を対応づけてもよい。すると、制御部１１は、開状態から閉状態に遷移したと判断した後、午前９時になると、マナーモードに遷移する。
【００３３】
また、ＲＡＭ５が記憶しているテーブルは、携帯電話機１００の状態の変化と、無線部９が受信している電波の受信状態に応じて制御部１１が行う処理とを対応づけてもよい。具体的には、例えば、携帯電話機１００が開状態から閉状態への変化に、無線部９が受信している電波の電波強度の確認と、無線部９が一定以上の電波強度で電波を受信している場合に無線部９に電子メールの着信確認を行わせるという処理とを対応づけてもよい。
【００３４】
なお、携帯電話機１００の製造者が、予めテーブルを生成してＲＡＭ５に記憶させていてもよいし、使用者が、入力部８を操作してテーブルを生成し、ＲＡＭ５に記憶させてもよい。
【００３５】
ＲＡＭ５は、携帯電話機１００の状態に応じて、制御部１１が、自動的に処理を実行するか否かを使用者に選択させる画面と、制御部１１が携帯電話機１００の状態に応じて自動的に実行する処理を使用者に選択させる画面とを記憶している。
【００３６】
図４は、ＲＡＭ５が記憶している画面の例を示す説明図である。制御部１１は、図４（ａ）の画面を表示部１に表示させて、使用者に、制御部１１が携帯電話機１００の状態に応じて自動的に処理を実行するか否かを選択させる。使用者は、入力部８を操作して、制御部１１が携帯電話機１００の状態に応じて自動的に処理を実行するか否かを選択する。ＲＡＭ５は、使用者が選択した内容を記憶する。
【００３７】
また、制御部１１は、図４（ｂ）の画面を表示部１に表示させて、使用者に、制御部１１が携帯電話機１００の状態に応じて自動的に実行する処理を使用者に選択させる。使用者は、入力部８を操作して、制御部１１が携帯電話機１００の状態に応じて自動的に実行する処理を選択する。ＲＡＭ５は、使用者が選択した内容を記憶する。
【００３８】
次に、本発明の実施の形態の動作について、図面を参照して説明する。図５は、本発明の実施の形態の動作を説明するフローチャートである。
【００３９】
使用者が、携帯電話機１００を操作して、第１の筐体１０を回転させ、携帯電話機１００の状態を変化させると（ステップＳ１０１）、開閉検出部６および回転検出部７は、制御部１１に入力する信号を変化させる。具体的には、例えば、使用者が、携帯電話機１００を操作して、携帯電話機１００を開状態から前面表示状態に遷移させると、開閉検出部６は、閉状態であることを示す信号を制御部１１に入力し、回転検出部７が前面表示状態であることを示す信号を制御部１１に入力する。
【００４０】
制御部１１は、ＲＯＭ５が記憶している使用者が選択した内容を読み出し、携帯電話機１００の状態に応じて自動的に処理を実行するか否かを判断する（ステップＳ１０２）。
【００４１】
制御部１１は、携帯電話機１００の状態に応じて自動的に処理を実行すると判断すると、ＲＡＭ５が記憶しているテーブルを読み出す（ステップＳ１０３）。
【００４２】
制御部１１は、読み出したテーブルを参照して、自動的に実行する処理を特定する（ステップＳ１０４）。具体的には、例えば、制御部１１は、閉状態であることを示す信号と、前面表示状態であることを示す信号とが入力されると、図３に例示したテーブルを参照して、実行する処理がテレビジョン放送を受信する処理であることを特定する。
【００４３】
そして、制御部１１は、特定した処理を現在実行しているか否かを判断する（ステップＳ１０５）。
【００４４】
制御部１１は、特定した処理を現在実行していないと判断すると、特定した処理を実行する（ステップＳ１０６）。具体的には、例えば、制御部１１が、テレビジョン放送を受信していないと判断すると、無線部９にテレビジョン放送の受信を開始させる。
【００４５】
以上に述べたように、この実施の形態によれば、携帯電話機１００の状態の変化に応じて、自動的に処理を実行させることができる。
【００４６】
なお、以上に述べた実施の形態では、携帯通信端末として携帯電話機１００を例に説明したが、本発明はこれに限定されるものではなく、ＰＨＳ（Ｐｅｒｓｏｎａｌ  ＨａｎｄｙＰｈｏｎｅ  Ｓｙｓｔｅｍ）端末等に適用してもよい。
【００４７】
また、以上に述べた実施の形態では、第１の筐体１０と第２の筐体２０とを連結するヒンジ部３０として、回転２軸ヒンジを例示し、第１の筐体１０がヒンジ部３０を支点にして第２の筐体２０の入力部８を有する面に鉛直の方向に回転して開状態から閉状態および閉状態から開状態へ遷移したが、他の方法を用いてもよい。
【００４８】
具体的には、例えば、第１の筐体１０が第２の筐体２０の長手方向にスライドして開状態から閉状態および閉状態から開状態へ遷移してもよいし、第１の筐体１０が第２の筐体２０の入力部８を有する面に水平の方向に回転して開状態から閉状態および閉状態から開状態へ遷移してもよい。
【産業上の利用可能性】
【００４９】
本発明は、複数の筐体で構成される携帯通信端末に適用することができる。
【図面の簡単な説明】
【００５０】
【図１】本発明の実施の形態の一構成例を示す外観図である。
【図２】本発明の実施の形態の携帯電話機の一構成例を示すブロック図である。
【図３】ＲＡＭが記憶しているテーブルの一例を示す図である。
【図４】ＲＡＭが記憶している画面の例を示す説明図である。
【図５】本発明の実施の形態の動作を説明するフローチャートである。
【符号の説明】
【００５１】
１    表示部
２    撮像部
３    マイクロフォン
４    スピーカ
５    ＲＡＭ
６    開閉検出部
７    回転検出部
８    入力部
９    無線部
１０  第１の筐体
１１  制御部
２０  第２の筐体
３０  ヒンジ部
【図１】
2006211536.tif 000003
【図２】
2006211536.tif 000004
【図３】
2006211536.tif 000005
【図４】
2006211536.tif 000006
【図５】
2006211536.tif 000007